(57)【特許請求の範囲】
【請求項１】
熱可塑性樹脂のフィルム層を複数積層した積層体からなる包装袋であって、縦部と、底部と、背部とをシールし、底シール部の中途部に背シール部の一端部を直交させて、胴部および頂部を有する三角錐形の収容部を形成するとともに、前記縦シール部の頂部近傍に、該頂部を破断して、前記収容部を開封するためのノッチを備える三角錐形包装袋において、
前記積層体は、少なくとも延伸フィルムを含み、且つ、最外層の前記フィルム層に、前記ノッチを起点とする破断方向と交差する破断抑制線を形成することを特徴とする三角錐形包装袋。
【請求項２】
前記破断抑制線は、前記ノッチを起点とする破断方向と直交して形成されることを特徴とする、請求項１に記載の三角錐形包装袋。
【請求項３】
前記延伸フィルム層の延伸方向は、前記ノッチを起点とした前記頂部の破断方向としたことを特徴とする、請求項１に記載の三角錐形包装袋。
【請求項４】
前記破断抑制線の両端部は、前記ノッチを起点とした前記頂部の延伸方向に破断させる線と交会する位置に有することを特徴とする、請求項１に記載の三角錐形包装袋。
【請求項５】
前記破断抑制線は、等間隔で断続的に形成したミシン目であることを特徴とする、請求項１または４に記載の三角錐形包装袋。
【請求項６】
前記ミシン目は、前記底シール部に向かって複数列備えることを特徴とする、請求項５に記載の三角錐形包装袋。
【請求項７】
前記破断抑制線は、レーザー加工により削成した凹部であることを特徴とする、請求項１、４、５、６に記載の三角錐形包装袋。
【請求項８】
前記破断抑制線は、前記凹部を、前記底シール部に向かって円弧状に形成したことを特徴とする、請求項７に記載の三角錐形包装袋。
【発明の詳細な説明】
【技術分野】
【０００１】
本発明は、熱可塑性樹脂のフィルム層を複数積層した積層体からなる包装袋であって、縦部と、底部と、背部とをシールし、底シール部の中途部に背シール部の一端部を直交させて、胴部および頂部を有する三角錐形の収容部を形成するとともに、縦シール部の頂部近傍に、この頂部を破断して、収容部を開封するためのノッチを備える三角錐形包装袋に関し、より詳細には、積層体には、最外層のフィルム層に、ノッチによる頂部からの破断方向と交差する破断抑制線を形成した三角錐形包装袋に関する。
【背景技術】
【０００２】
従来の、液状や粘状の調味品を包装する軟性樹脂フィルム製の三角錐容器には、抽出量制御用の注ぎ口が、その三角錐容器本体の広幅のシール部のシール内面に設けられており、この注ぎ口は、その三角錐容器本体の頂上付近の内部からその広幅のシール部の解放端方向に伸長して、且つその先端が閉鎖されているもの（例えば、特許文献１など）がある。そして、容器を開封する際には、広幅のシール部の頂上付近から注ぎ口を介して下方に切断し、注ぎ口を開口している。
【先行技術文献】
【特許文献】
【０００３】
【特許文献１】特開２００６−３０６４０６号公報
【発明の概要】
【発明が解決しようとする課題】
【０００４】
しかし、このような容器（包装袋）では、注ぎ口の先端付近を開封させるため、開口部を広く開くことができず、この狭い開口部に、内容物の粘状物や粉体などが詰まり、内容物の注出を阻害してしまい、使用性が悪いという問題があった。また、注ぎ口を開口する際、広幅のシール部の頂上付近から注ぎ口に向けてフィルムを破断するが、破断方向が注ぎ口から離れ、注ぎ口がわずかな開口または開口されないという問題もあった。
従って、この発明の目的は、開口部を広く開口可能として開口面積を確保、制御し、使用性に優れた三角錐形包装袋を提供することにある。
【課題を解決するための手段】
【０００５】
このため、請求項１に記載の発明は、熱可塑性樹脂のフィルム層を複数積層した積層体からなる包装袋であって、縦部と、底部と、背部とをシールし、底シール部の中途部に背シール部の一端部を直交させて、胴部および頂部を有する三角錐形の収容部を形成するとともに、前記縦シール部の頂部近傍に、該頂部を破断して、前記収容部を開封するためのノッチを備える三角錐形包装袋において、前記積層体は、少なくとも延伸フィルムを含み、且つ、最外層の前記フィルム層に、前記ノッチを起点とする破断方向と交差する破断抑制線を形成することを特徴とする。
【０００６】
請求項２に記載の発明は、請求項１に記載の三角錐形包装袋において、前記破断抑制線は、前記ノッチを起点とする破断方向と直交して形成されることを特徴とする。
【０００７】
請求項３に記載の発明は、請求項１に記載の三角錐形包装袋において、前記延伸フィルム層の延伸方向は、前記ノッチを起点とした前記頂部の破断方向としたことを特徴とする。
【０００８】
請求項４に記載の発明は、請求項１に記載の三角錐形包装袋において、前記破断抑制線の両端部は、前記ノッチを起点とした前記頂部の延伸方向に破断させる線と交会する位置に有する。
【０００９】
請求項５に記載の発明は、請求項１または４に記載の三角錐形包装袋において、前記破断抑制線は、等間隔で断続的に形成したミシン目であることを特徴とする。
【００１０】
請求項６に記載の発明は、請求項５に記載の三角錐形包装袋において、前記ミシン目は、前記底シール部に向かって複数列備えることを特徴とする。
【００１１】
請求項７に記載の発明は、請求項１、４、５、６に記載の三角錐形包装袋において、前記破断抑制線は、レーザー加工により削成した凹部であることを特徴とする。
【００１２】
請求項８に記載の発明は、請求項７に記載の三角錐形包装袋において、前記破断抑制線は、前記凹部を、前記底シール部に向かって円弧状に形成したことを特徴とする。
【発明の効果】
【００１３】
請求項１に記載の発明によれば、熱可塑性樹脂のフィルム層を複数積層した積層体からなる包装袋であって、縦部と、底部と、背部とをシールし、底シール部の中途部に背シール部の一端部を直交させて、胴部および頂部を有する三角錐形の収容部を形成するとともに、縦シール部の頂部近傍に、この頂部を破断して、収容部を開封するためのノッチを備える三角錐形包装袋において、積層体は、少なくとも延伸フィルムを含み、且つ、最外層のフィルム層に、ノッチを起点とする破断方向と交差する破断抑制線を形成するので、ノッチを起点に破断した包装袋の頂部を、所定の方向に直線的に破断させることができ、破断抑制線で容易に切り取り、開口面積を制御した広い開口部を確実に形成することができる。従って、使用性に優れた三角錐形包装袋を提供することができる。
【００１４】
請求項２に記載の発明によれば、破断抑制線は、ノッチを起点とする破断方向と直交して形成されるので、ノッチを起点に破断した包装袋の頂部を、破断抑制線で容易に切り取ることができる。従って、開口性に優れた三角錐形包装袋を提供することができる。
【００１５】
請求項３に記載の発明によれば、延伸フィルム層の延伸方向は、ノッチを起点とした頂部の破断方向としたので、包装袋頂部の破断方向が破断抑制線まで曲折することなく直線的に破断でき、広い開口部となる切口を確保することができる。従って、開口性に優れた三角錐形包装袋を提供することができる。
【００１６】
請求項４に記載の発明によれば、破断抑制線の両端部は、ノッチを起点とした頂部の延伸方向に破断させる線と交会する位置に有するので、ノッチを起点とする頂部の延伸方向の破断部分が、破断抑制線の端部に到達したところで、破断抑制線により延伸方向の破断が抑制されるとともに、破断を、延伸方向とは異なる破断抑制線の方向に切り換えることができ、頂部に広い開口部を確実に形成することができる。従って、開口性に優れた三角錐形包装袋を提供することができる。
【００１７】
請求項５に記載の発明によれば、破断抑制線は、等間隔で断続的に形成したミシン目であるので、延伸方向と異なる破断方向であっても、ミシン目により容易に頂部を破断することができる。従って、開口性に優れた三角錐形包装袋を提供することができる。また、ミシン目は最外層のフィルム層にしか形成されないため、袋内の収容物が漏洩することがない。
【００１８】
請求項６に記載の発明によれば、ミシン目は、底シール部に向かって複数列備えるので、ノッチを起点とする頂部の延伸方向の破断部分を、ミシン目に確実に交差させることで容易に頂部を破断させることができる。従って、開口性に優れた三角錐形包装袋を提供することができる。
【００１９】
請求項７に記載の発明によれば、破断抑制線は、レーザー加工により削成した凹部であるので、簡単な加工処理で容易に破断可能な破断抑制線を形成することができる。従って、生産性に優れた三角錐形包装袋を提供することができる。
【００２０】
請求項８に記載の発明によれば、破断抑制線は、凹部を、底シール部に向かって円弧状に形成したので、破断抑制線の破断時に、ノッチから側面を延伸方向に沿って破断する方向を交えながら緩やかに側面の破断方向とは異なる破断抑制線を破断させることができ、頂部を楽な力で容易に破断できるとともに、確実に開口させることができる。従って、開口性に優れた三角錐形包装袋を提供することができる。
【図面の簡単な説明】
【００２１】
【図１】本発明の一実施例を示す、三角錐形包装袋の全体斜視図である。
【図２】三角錐形包装袋の全体正面図である。
【図３】頂部を破断途中の三角錐形包装袋の斜視図である。
【図４】破断抑制線としてのミシン目付近の拡大正面図である。
【図５】頂部を破断して開口を形成した三角錐形包装袋の斜視図である。
【図６】複数列備えたミシン目付近の拡大正面図である。
【図７】他の例の配列を示すミシン目の拡大正面図である。
【図８】レーザー加工による破断抑制線の拡大正面図である。
【図９】円弧状に形成したレーザー加工による破断抑制線の拡大正面図である。
【発明を実施するための形態】
【００２２】
以下、図面を参照しつつ本発明を実施するための最良の形態について説明する。
図１は、本発明の一実施例を示す、三角錐形包装袋の全体斜視図、図２は、三角錐形
包装袋の全体正面図、図３は、頂部を破断途中の三角錐形包装袋の斜視図、図４は、破断抑制線としてのミシン目付近の拡大正面図、図５は、頂部を破断して開口を形成した三角錐形包装袋の斜視図、図６は、複数列備えたミシン目付近の拡大正面図、図７は、他の例の配列を示すミシン目の拡大正面図、図８は、レーザー加工による破断抑制線の拡大正面図、図９は、円弧状に形成したレーザー加工による破断抑制線の拡大正面図である。
【００２３】
本発明の三角錐形包装袋１は、図１〜２に示すように、天面２と、左右側面３と、底面４とから形成される収容部５内に、例えば、コーヒー粉、カレー粉、砂糖などの粉体や、醤油、ソース、ドレッシングなどの液体、ケチャップやマヨネーズなどの粘調体を例示する食品など（限定されない）の内容物を収容するものである。
【００２４】
この三角錐形包装袋１の材質は、熱可塑性樹脂のフィルム層を複数積層した積層体からなり、少なくとも内面にヒートシーラント層があり、引き裂き方向に直進性があるものが好ましい。例えば、ロールの巻き方向に対する直交方向に直線的に引き裂ける腰が強く、他基材（アルミ、紙、ポリエチレンテレフタレートフィルム、ポリプロピレンフィルム、ナイロンフィルム、セロハンなど）と積層しても直線的易引裂性が失われないフィルム素材を強度層として使用し、最内面に、ヒートシーラント層として、直鎖状低密度ポリエチレン、未延伸ポリプロピレン等のポリオレフィン系樹脂層を設けたものであれば好適に使用することができる。
【００２５】
表面層は、印刷適性、ラミネート適性に優れ、引張り強度、衝撃強度、耐擦傷性度の総合的な機械的強度に優れると共に、耐溶剤性、耐薬品性のほか、ヒートシールの際の加熱に対する耐熱性などが必要である。このようなフィルムとしては、例えば、ポリエステルフィルム、ポリアミドフィルム、ポリプロピレンフィルム、ポリエチレンフィルムなどを単独または２種以上を積層したものが挙げられ、頂部の破断方向を制御するために、何れかの層に、延伸されたフィルムを使用することが必須である。また、多層にすることで各強度をより高めることができる。さらに、表面層には、防湿性やガスバリヤー性を付与するために、アルミニウムやシリカ（SiOx）等の薄膜を蒸着してもよい。このような表面層の厚さは、９μｍ〜５０μｍ程度の範囲が好ましい。また、防湿性やガスバリヤー性を付与する別の方法として、アルミニウム箔を積層してもよい。
【００２６】
具体例として、外面から順に次の各層構成を挙げる事ができる（限定されない）。
（１）透明蒸着２軸延伸ポリエチレンテレフタレート（ＰＥＴ）／直鎖状低密度ポリエチレン(ＬＬＤＰＥ）または未延伸ポリプロピレン（ＣＰＰ）
（２）延伸ポリプロピレン（ＯＰＰ）／ＬＬＤＰＥまたはＣＰＰ
（３）透明蒸着２軸延伸ＰＥＴ／アルミニウム（ＡＬ）／ＬＬＤＰＥまたはＣＰＰ
（４）透明蒸着２軸延伸ＰＥＴまたは無延伸ＰＥＴ／延伸ポリアミド（ＯＮＹ）／ＬＬＤＰＥまたはＣＰＰ
（５）２軸延伸ＰＥＴまたは無延伸ＰＥＴ／ＡＬ／ＯＮＹ／ＬＬＤＰＥまたはＣＰＰ
（６）２軸延伸ＰＥＴまたは無延伸ＰＥＴ／ＯＮＹ／ＡＬ／ＬＬＤＰＥまたはＣＰＰ
（７）ＯＰＰ／透明蒸着ＰＥＴ／ＬＬＤＰＥ
（８）２軸延伸ＰＥＴまたはＯＰＰ／ポリエチレン（ＰＥ）／ＡＬまたは蒸着ポリエチレンテレフタレート（ＶＭＰＥＴ）／ＰＥ
（９）ＯＮＹ／ＡＬまたは蒸着ポリエチレンテレフタレート（ＶＭＰＥＴ）／ＬＬＤＰＥ
【００２７】
従って、三角錐形包装袋１は、以上のようなフィルム層を複数積層した積層体を、内容物の充填包装機において、袋用原反を、底面４となる位置で背シールｓ１（ヒートシール）をして筒状に形成し、次いで、底シールｓ３をし、内容物の充填後に底シールｓ３と直交する方向に縦シールｓ２をして、三角錐形及び扁平リブ６を形成する。
【００２８】
そして、扁平リブ６の縦シールｓ２部分は、上部面積を大きく形成した把持部７を設けるとともに、この把持部７の下端部には、切込を設けたノッチ８が形成される。
【００２９】
なお、本願発明の三角錐形包装袋１では、図３に示すように、ノッチ８を起点とする袋の破断方向と、左右側面３に位置するフィルム層の延伸方向とを同じ方向にすることで、ノッチ８から左右側面３端部（左右側面３と天面２との間の稜線ｒ付近）までの破断を、延伸方向に沿って直線的に行うことができる。
【００３０】
従って、三角錐形包装袋１は、ノッチ８を有する頂部９と、この頂部９下方の胴部１１とから、それら内部に内容物の収容部５を形成し、背シールｓ１を有する三角形の底面４によって、倒れることなく、頂部９を上にし、胴部１１を下部にして、安定的に立設させることができる。また、背シール部を形成することによって、手で左右両側面を持ったときに左右側面が凹むことを軽減できるため、袋の保形性をよくすることができる。
【００３１】
また、本願発明の三角錐形包装袋１では、図４に示すように、天面２の上部に、ボトムシールｓ３と平行な、例えば一本のミシン目１０ａからなる破断抑制線１０が刻設される。この例では、図４に示すように、穴の長さを２ｍｍ程度、穴と穴との距離を１ｍｍ程度とするが、これに限定されるものではない。穴と穴の距離を０ｍｍ（ミシン目を一直線に形成）としてもよい。また、破断抑制線は開口したときに内容物が漏洩しないように内容物の上面より上方に形成する。
【００３２】
天面２へのミシン目１０ａは、周知の技術により刻設されるため、詳細な説明は省略するが、最外層フィルムへの印刷時に、シリンダーに取付けた刃により、最外層フィルムを貫通させてミシン目加工を施すものである。そして、この最外層フィルムを表面層として使用し、最内層フィルムとラミネートし、前記袋用原反を作製する。この例では、最外層フィルムへの印刷時に最外層フィルムを貫通させてミシン目加工を行ったが、これに限定されるものではなく、他の工程でミシン目加工を施してもよいし、また、貫通させずハーフカットとしてもよい。
【００３３】
このようにして施されるミシン目１０ａの左右両端部は、左右側面３と、天面２との境である左右稜線ｒ付近であって、ノッチ８を起点とした、延伸方向に左右側面３を破断する線と交会する位置まで形成される。
【００３４】
ここで、三角錐形包装袋１の頂部９を破断して、三角錐形包装袋１を開封する場合には、まず、縦シールｓ２の上部および把持部７を掴み、ノッチ８を起点として左右側面３を引き裂くことにより、頂部９における側面３（引き裂く力加減により、左右の一方または左右両方）が、延伸方向に沿って直線的に破断される。
【００３５】
次いで、左右側面３に形成される破断線が、左右稜線ｒ付近に有する破断抑制線１０の端部に達したところで、この破断抑制線１０により、左右側面３を引き裂く方向に加わる力を、延伸方向とは異なる破断抑制線１０の方向に誘導し、左右側面３の破断が抑制される。
【００３６】
そして、把持部７を引っ張ることで、頂部９の引き裂き方向が側面３の延伸方向から天面２の破断抑制線１０の方向に切り替わり、頂部９が破断抑制線１０に沿って引き裂かれ、図５に示すように、頂部９が切除される。なお、上述した引き裂く力加減により、一方の側面３から破断抑制線１０を介して他方の側面３を破断させて頂部９を切除したり、両側面３から破断抑制線１０を破断させて頂部９を切除することができる。
【００３７】
このような構成により、ノッチ８を起点に破断した包装袋１の頂部９を、破断抑制線１０で容易に切り取り、広い開口部ｏを確実に形成できるため、内容物を効率的に注出させることができるとともに、内容物が開口部ｏである注出口に詰まることなく、包装袋１から内容物を円滑に注出させることができる。また、積層体は、延伸フィルム層を含むので、積層体を所定の方向に容易に破断させることができる。
【００３８】
また、延伸フィルム層の延伸方向は、ノッチ８を起点とした頂部９の破断方向としたので、包装袋１の頂部９の破断方向が破断抑制線１０まで曲折することなく直線的に破断でき、広い開口部ｏとなる切口を確保することができる。また、開口が底面に対して平行なほうが使用性に優れるため、左右側面３の延伸方向は底面と平行になるよう設計することが好ましい。
【００３９】
また、破断抑制線１０の両端部は、ノッチ８を起点とした側面３を延伸方向に破断させる線と交会する位置に有するので、ノッチ８を起点とする頂部９における側面３の延伸方向の破断部分が、破断抑制線１０の端部に到達したところで、破断抑制線１０により延伸方向の破断が抑制されるとともに、破断を、延伸方向とは異なる破断抑制線１０の方向に切り換えることができ、頂部９に広い開口部ｏを確実に形成することができる。
【００４０】
さらに、破断抑制線１０は、等間隔で断続的に形成したミシン目１０ａであるので、延伸方向と異なる破断方向であっても、ミシン目１０ａにより容易に頂部９を破断することができる。
【００４１】
なお、本願発明の破断抑制線１０は、側面３の延伸方向の破断を、より容易かつ確実
に抑制させるため、ミシン目を次のように配列させることができる。
【００４２】
破断抑制線１０は、図６に示す正面視で、例えば上下に２列のミシン目１０ｂを刻設するもので、上端の一列目のミシン目（ミシン目１０ａ）の、下部シールｓ３に向かって下方に、一列目のミシン目と平行に、且つ、一列目の隙間を塞ぐように２列目のミシン目が設けられる。
【００４３】
このように構成することで、ノッチ８を起点とする側面３の延伸方向の破断部分が、１列目のミシン目端部に到達しても、引き裂く力加減などにより、なおも延伸方向に破断が進んだ場合、２列目のミシン目で破断方向を確実に抑制するとともに、破断抑制線１０側に破断方向を切り替えることができる。従って、側面３延伸方向の破断を、ミシン目１０ｂに確実に交差させることで容易に頂部９を破断させることができる。
【００４４】
さらに、破断抑制線１０は、次のような構成にすることもできる。この場合、破断抑制線１０は、図７に示す正面視で、例えば、上述したように、ノッチ８を起点とした左右両側面３の延伸方向に破断させる線と交会する天面２の左右位置に、それぞれ１本の穴（２ｍｍ程度）のミシン目を刻設するとともに、それらミシン目から底シールｓ３側の中央下方に向けて斜め平行に、例えば５列程度（限定されない）の略Ｖ字形状としたミシン目１０ｃとすることができる。
【００４５】
このような構成にすることで、ノッチ８を起点とする側面３の延伸方向の破断部分が、１列目のミシン目端部に到達したところで、側面３延伸方向に働く力を生かし、天面２に形成さえたミシン目１０ｃの略Ｖ字に沿って、順次下方にミシン目間を引き裂きながら、天面２を確実に破断させることができる。
【００４６】
また、破断抑制線１０は、上述したミシン目の他に、レーザー加工で形成することもできる。この場合、レーザー加工部１０ｄは、図８に示すように、天面２上の上部であって、ノッチ８を起点とした両側面３を延伸方向に破断させる線と交会する天面２上の左右位置（稜線ｒ付近）を連結する、天面２を構成する積層体の最外層表面にレーザー加工が施される。
【００４７】
このレーザー加工部１０ｄは、図中の丸枠内に示した側面模式図のように、例えば、側面視略Ｕ字形状などの凹部ａを、積層体の最外層表面に削成したものであり、このような構成により、レーザーによる簡単な加工処理で容易に破断可能な破断抑制線１０を形成することができる。
【００４８】
また、レーザー加工による破断抑制線１０は、次のような形状に形成することもできる。この場合、レーザー加工部１０ｅは、図９に示すように、天面２上であって、ノッチ８を起点とした両側面３を延伸方向に破断させる線と交会する天面２上の左右位置（稜線ｒ付近）を、底シールｓ３側に沿って円弧状に連結して、天面２を構成する積層体の最外層表面を凹部にレーザー加工で削成する。
【００４９】
このような構成により、破断抑制線１０の破断時に、ノッチ８から側面３を延伸方向に沿って破断する破断方向に加わる力を生かしながら、破断方向を破断抑制線１０の方向に緩やかに導くことができ、頂部９を楽な力で容易に破断できるとともに確実に大きく開口させることができる。
【００５０】
なお、上述したレーザー加工による破断抑制線１０を備える三角錐形包装袋１の製造は、ラミネートした前記袋用原反にレーザーを照射し、最外層フィルムのみに上述したような任意の形状のレーザー加工を施す。そして、内容物の充填包装機でフィルムを成形し、背シールｓ１および底シールｓ３の後に内容物を充填し、縦シールｓ２をして完成する。
【００５１】
そして、積層体の表面層には、レーザー加工として一般的に使用される炭酸ガスレーザーが反応する材質を用いる必要がある。炭酸ガスレーザーでミシン目を形成する場合は、ポリプロピレンフィルムには削成できないため、最外層にポリプロピレンフィルムは使用せず、ポリエステルフィルムもしくはナイロンフィルムを使用するが、それ以外の層についてはシリンダーに取付けた刃でミシン目加工する場合と同じものが使用できる。具体例として、外面から順に次の各層構成を挙げる事ができる（限定されない）。
（１）２軸延伸ＰＥＴ／ＬＬＤＰＥ
（２）２軸延伸ＰＥＴまたは無延伸ＰＥＴ／ＯＮＹ／ＬＬＤＰＥ
（３）２軸延伸ＰＥＴまたは無延伸ＰＥＴ／ＡＬ／ＯＮＹ／ＬＬＤＰＥまたはＣＰＰ
（４）２軸延伸ＰＥＴまたは無延伸ＰＥＴ／ＯＮＹ／ＡＬ／ＬＬＤＰＥまたはＣＰＰ
（５）２軸延伸ＰＥＴ／ＡＬ／ＣＰＰ
（６）ＯＮＹ／ＡＬ（透明蒸着ＰＥＴ）／ＬＬＤＰＥ
【００５２】
以上詳述したように、この例の三角錐形包装袋１は、熱可塑性樹脂のフィルム層を複数積層した積層体からなる包装袋であって、縦部と、底部と、背部とをシールし、底シールｓ３部の中途部に背シールｓ１部の一端部を直交させて、胴部１１および頂部９を有する三角錐形の収容部５を形成するとともに、縦シールｓ２部の頂部７近傍に、この頂部９を破断して収容部５を開封するためのノッチ８を備え、積層体には、最外層のフィルム層に、ノッチ８を起点とする破断方向と交差する破断抑制線１０を形成するものである。
【符号の説明】
【００５３】
１    三角錐形包装袋
２    天面
３    左右側面
４    底面
５    収容部
６    扁平リブ
７    把持部
８    ノッチ
９    頂部
１０    破断抑制線
１０ａ，１０ｂ，１０ｃ    ミシン目
１０ｄ，１０ｅ    レーザー加工部
１１    胴部
ｒ    左右稜線
ｓ１    背シール
ｓ２    縦シール
ｓ３    底シール
【図１】
0005423486.tif 000002
【図２】
0005423486.tif 000003
【図３】
0005423486.tif 000004
【図４】
0005423486.tif 000005
【図５】
0005423486.tif 000006
【図６】
0005423486.tif 000007
【図７】
0005423486.tif 000008
【図８】
0005423486.tif 000009
【図９】
0005423486.tif 000010